(57)【要約】【課題】異常内容を複数画面に表示し、その複数画面をメイン表示とサブ表示に区分し、サブ表示に表示形式および時系列の情報を定義する。【解決手段】監視制御装置３は、観測値２を表示値３ｄとして出力する計測データ編集処理部３ｂと、監視対象の異常内容を複数画面に表示すると共に、複数画面をメイン表示とサブ表示に区分し、サブ表示に表示形式および時系列の情報を定義する項目・画面関連定義を格納する図面定義部３ｆと、表示値３ｄと項目・画面関連定義とを合わせて画面データ３ｇを作成する画面データ編集処理部３ｅと、を備え、監視制御Ｗｅｂ端末４は、画面データ編集処理部３ｅから送信される複数の画面データを受け取り、メイン表示、サブ表示の情報を付与し、サブ表示には時系列の情報を付与する画面制御処理部４ａと、画面制御処理部４ａで処理された情報を表示する表示部４ｂを備えた。【選択図】図１
2014146219.tif 000002
【特許請求の範囲】
【請求項１】
河川の水位、流量または建物内の配電盤における運転状態等の監視対象の異常内容を監視者に通知するシステムであって、監視制御装置と、上記監視制御装置と通信網を介して接続される監視制御Ｗｅｂ端末とを備えた監視制御システムにおいて、
上記監視制御装置は、上記監視対象の観測値を表示値として出力する計測データ編集処理部と、上記監視対象の異常内容を複数画面に表示し、その複数画面をメイン表示とサブ表示に区分し、サブ表示に表示形式および時系列の情報を定義する項目・画面関連定義を格納する図面定義部と、上記計測データ編集処理部から出力される表示値と上記図面定義部に格納された項目・画面関連定義とを合わせて画面データを作成する画面データ編集処理部と、を備え、
上記監視制御Ｗｅｂ端末は、上記画面データ編集処理部から送信される複数の画面データを受け取り、受け取った複数の画面データにメイン表示、サブ表示の情報を付与し、サブ表示には時系列の情報を付与する画面制御処理部と、上記画面制御処理部で処理された情報を表示する表示部と、を備えたことを特徴とする監視制御システム。
【請求項２】
上記画面データ編集処理部での画面編集処理、及び上記画面制御処理部での画面制御処理は、１つの異常状態に対して関連する画面が３つまでの場合、１つのメイン画面と２つのバルーンによる複数表示を行うことを特徴とする請求項１に記載の監視制御システム。
【請求項３】
上記バルーンによる複数表示は、時系列の異なるバルーンによる複数表示であることを特徴とする請求項２に記載の監視制御システム。
【請求項４】
上記画面データ編集処理部での画面編集処理、及び上記画面制御処理部での画面制御処理は、１つの異常状態に対して関連する画面が３つまでの場合、１つのメイン画面と２つのサブウィンドウによる複数表示を行うことを特徴とする請求項１に記載の監視制御システム。
【請求項５】
上記画面データ編集処理部での画面編集処理、及び上記画面制御処理部での画面制御処理は、１つの異常状態に対して関連する画面が４つ以上の場合、１つのメイン画面と、そのメイン画面を選択するスライド形式の画面を表示することを特徴とする請求項１に記載の監視制御システム。
【請求項６】
上記画面データ編集処理部での画面編集処理、及び上記画面制御処理部での画面制御処理は、１つの異常状態に対して関連する画面が４つ以上の場合、１つのメイン画面と、そのメイン画面を選択するリスト形式の画面を表示することを特徴とする請求項１に記載の監視制御システム。
【発明の詳細な説明】
【技術分野】
【０００１】
この発明は、例えば河川の水位、流量または建物内の配電盤における運転状態等の監視対象を処理装置内に取り込んで処理、加工し、画面上にそれら監視対象の異常内容を監視者に通知する監視制御システムに関するものである。
【背景技術】
【０００２】
従来、河川の水位、流量を監視する河川設備や建物内の配電盤における運転状態等を監視するための監視制御装置は、監視対象の各種情報を処理装置内に取り込み、取り込んだ情報と処理装置内に予め格納されている情報とを組み合わせて、その内容を監視対象に即した画面として画面上に表示している。一例として、図７の河川設備の監視制御装置について説明する。
【０００３】
図７において、監視対象である河川設備１の貯水位計、漏水量計等から得られる観測値２は監視制御装置３に送られる。監視制御装置３においては、計測情報取込処理部３ａが観測値２を取り込み、計測データ編集処理部３ｂに渡す。計測データ編集処理部３ｂは、観測値２と計測項目定義部３ｃで定義された計測項目定義とを合わせて表示値３ｄを作成し、画面データ編集処理部３ｅに渡す。画面データ編集処理部３ｅは、表示値３ｄと画面定義部３ｆで定義された項目・画面関連定義とを合わせて画面データ３ｇを作成し、通信網を介して監視制御Ｗｅｂ端末４に送信する。
【０００４】
監視制御Ｗｅｂ端末４において、画面表示処理部４ａは、監視制御装置３の画面データ編集処理部３ｅから画面データ３ｇを取り込み、画面を表示部４ｂに表示し、監視員は表示部４ｂに表示された画面を見ることにより河川監視を行う。
【０００５】
監視している河川の水位が危険水位や氾濫水位に達したことは、監視制御装置３と監視制御Ｗｅｂ端末４の組み合わせにより、表示部４ｂのスケルトン画面上にあるシンボルのフリッカ又はブザー音によって監視員に通知される。即ち、監視制御装置３においては、計測項目定義部３ｃに格納されている危険水位や氾濫水位といった閾値と観測値２を組み合わせることで異常状態の有無を表示値３ｄに付与し、画面データ編集処理部３ｅが、異常状態付の表示値３ｄを使って異常状態付の画面データ３ｇを通信網を介して監視制御Ｗｅｂ端末４に通知する。監視制御Ｗｅｂ端末４においては、画面表示処理部４ａが異常状態付の画面データ３ｇをもとにシンボルのフリッカ又はブザー音を出すように処理、加工して監視員に通知する。
【０００６】
異常が発生した設備を監視員が確認するには、監視制御装置３と監視制御Ｗｅｂ端末４の組み合わせにより、該当画面に遷移、表示することで監視員に確認作業を誘導する。即ち、異常発生後、監視制御Ｗｅｂ端末４において、画面入力処理部４ｃが監視員の入力をもとに確認項目データ４ｄを監視制御装置３に通知する。
【０００７】
監視制御装置３においては、画面入力受付処理部３ｈが確認項目データ４ｄを画面データ編集処理部３ｅに送る。画面データ編集処理部３ｅは、確認項目データ４ｄと画面定義部３ｆに格納された異常内容と画面で定義された項目・画面関連定義を組み合わせることにより、画面データを監視制御Ｗｅｂ端末４に通知する。通知を受けた監視制御Ｗｅｂ端末４においては、画面表示処理部４ａが画面データ３ｇをもとに該当画面を表示部４ｂに表示し、監視員に確認画面を誘導する。
【０００８】
ところで、上記画面定義部３ｆでは、異常内容と画面が１対Ｎ（Ｎは２以上の自然数）
で定義された項目・画面関連定義が格納されており、異常内容と画面が１対Ｎで定義された項目・画面関連定義を組み合わせることで複数の画面データを監視制御Ｗｅｂ端末４に通知するように構成されており、例えば、特開平２−２１４２７４号公報（特許文献１）、特開２００９−１４６２０８号公報（特許文献２）、特開平４−１９０２８７号公報（特許文献３）、特開２０００−５６８２６号公報（特許文献４）に開示されている複数画面の表示方法がこれに相当する。
【先行技術文献】
【特許文献】
【０００９】
【特許文献１】特開平２−２１４２７４号公報
【特許文献２】特開２００９−１４６２０８号公報
【特許文献３】特開平４−１９０２８７号公報
【特許文献４】特開２０００−５６８２６号公報
【発明の概要】
【発明が解決しようとする課題】
【００１０】
しかし、上記従来の技術は異常内容を複数画面に表示するものではあるが、その複数画面をメイン表示とサブ表示に区分し、サブ表示に表示形式および時系列の情報を定義するものでない。このため、異常発生時の監視員の確認作業の利便性に課題を有している。
【００１１】
この発明は、上記の課題に鑑みてなされたもので、異常内容を複数画面に表示し、その複数画面をメイン表示とサブ表示に区分し、サブ表示に表示形式および時系列の情報を定義する監視制御システムを提供するものである。
【課題を解決するための手段】
【００１２】
この発明による監視制御システムは、河川の水位、流量または建物内の配電盤における運転状態等の監視対象の異常内容を監視者に通知するシステムであって、監視制御装置と、上記監視制御装置と通信網を介して接続される監視制御Ｗｅｂ端末とを備えた監視制御システムにおいて、上記監視制御装置は、上記監視対象の観測値を表示値として出力する計測データ編集処理部と、上記監視対象の異常内容を複数画面に表示し、その複数画面をメイン表示とサブ表示に区分し、サブ表示に表示形式および時系列の情報を定義する項目・画面関連定義を格納する図面定義部と、上記計測データ編集処理部から出力される表示値と上記図面定義部に格納された項目・画面関連定義とを合わせて画面データを作成する画面データ編集処理部と、を備え、上記監視制御Ｗｅｂ端末は、上記画面データ編集処理部から送信される複数の画面データを受け取り、受け取った複数の画面データにメイン表示、サブ表示の情報を付与し、サブ表示には時系列の情報を付与する画面制御処理部と、上記画面制御処理部で処理された情報を表示する表示部と、を備えたものである。
【発明の効果】
【００１３】
この発明による監視制御システムには、異常内容を複数画面に表示し、その複数画面をメイン表示とサブ表示に区分し、サブ表示に表示形式および時系列の情報を定義するので、異常発生時の監視員の確認作業の利便性を向上することができる。
【図面の簡単な説明】
【００１４】
【図１】この発明の実施の形態１による監視制御システムのブロック図である。
【図２】この発明の実施の形態１による監視制御システムおける画面表示を示す図である。
【図３】この発明の実施の形態１による監視制御システムおける画面表示の他の例を示す図である。
【図４】この発明の実施の形態１による監視制御システムおける画面表示の更に他の例を示す図である。
【図５】この発明の実施の形態１による監視制御システムおける画面表示の更に他の例を示す図である。
【図６】この発明の実施の形態１による監視制御システムおける画面表示の更に他の例を示す図である。
【図７】従来の監視制御システムの一例を示すブロック図である。
【発明を実施するための形態】
【００１５】
以下、この発明による監視制御システムの好適な実施の形態について図面を参照して説明する。
【００１６】
実施の形態１．
図１は、実施の形態１による監視制御システムのブロック図である。図１において、監視制御装置３の画面定義部３ｆには、異常内容と画面が1対Ｎ（Ｎは２以上の自然数）で定義された項目・画面関連定義が格納されている。そして、この項目・画面関連定義には、Ｎをメイン表示とサブ表示の２段階に区分すると共に、サブ表示には表示形式と時系列の情報が定義されている。
【００１７】
また、監視制御Ｗｅｂ端末４には画面制御処理部４ｅが設けられている。この画面制御処理部４ｅは、画面データ編集処理部３ｅからの複数の画面データを受け取り、受け取った複数の画面データにメイン表示、サブ表示の情報を付与し、サブ表示には時系列の情報を付与する機能を有している。なお、その他の構成は図７で説明した従来の監視制御システムと同様であり、同一符号を付すことにより説明を省略する。
【００１８】
実施の形態１による監視制御システムは上記のように構成されており、例えば監視対象である河川設備１の貯水位計、漏水量計等から得られる観測値２は監視制御装置３に送られる。監視制御装置３においては、計測情報取込処理部３ａが観測値２を取り込み、計測データ編集処理部３ｂに渡す。計測データ編集処理部３ｂは、観測値２と計測項目定義部３ｃで定義された計測項目定義とを合わせて表示値３ｄを作成し、画面データ編集処理部３ｅに渡す。画面データ編集処理部３ｅは、表示値３ｄと画面定義部３ｆで定義された項目・画面関連定義とを合わせて画面データ３ｇを作成し、監視制御Ｗｅｂ端末４に通信網を介して送信する。
【００１９】
監視制御Ｗｅｂ端末３においては、画面データ編集処理部３ｅから送信された画面データ３ｇを画面制御処理部４ｅが受け取り、画面制御処理部４ｅは受け取った複数の画面データにメイン表示、サブ表示の情報を付与し、サブ表示には時系列の情報を付与した画面データ４ｆを生成して画面表示処理部４ａに渡す。画面表示処理部４ａは情報が付与された画面データ４ｆをもとにメイン画面、サブ画面を表示部４ｂに表示すると共に、サブ画面には時系列の情報を表示し、監視員は表示された画面を見ることで河川監視を行う。
【００２０】
異常が発生した設備を監視員が確認するには、監視制御装置３と監視制御Ｗｅｂ端末４の組み合わせにより、該当画面に遷移・表示することで監視員に確認作業を誘導する。即ち、異常発生後、監視制御Ｗｅｂ端末４において、画面入力処理部４ｃが監視員の入力をもとに確認項目データ４ｄを監視制御装置３に通知する。
【００２１】
監視制御装置３においては、画面入力受付処理部３ｈが確認項目データ４ｄを画面データ編集処理部３ｅに送る。画面データ編集処理部３ｅは、確認項目データ４ｄと画面定義部３ｆに格納された異常内容と画面が1対Ｎで定義された項目・画面関連定義を組み合わせることで複数の画面データを監視制御Ｗｅｂ端末４に通知する。通知を受けた監視制御Ｗｅｂ端末４においては、画面制御処理部４ｅが受け取った複数の画面データにメイン表
示、サブ表示の情報を付与し、サブ表示には時系列の情報を付与して画面表示処理部４ａに渡す。画面表示処理部４ａはメイン表示、サブ表示の情報が付与された画面データ４ｆをもとにメイン画面、サブ画面を表示し、監視員に確認画面を誘導する。なお、サブ画面には時系列の情報を表示する。
【００２２】
次に、表示部４ｂに表示される確認画面の表示方法について説明する。図２は、確認画面の表示方法にバルーン形式を使用した形式を示している。メイン画面にスケルトン図を表示し、バルーン内に当該項目のグラフと帳票を表示することで氾濫水位超過前の水位の変化が一目で分かる。
【００２３】
また、図３は確認画面の表示方法の異なる例を示すものである。図２では、バルーン内に表示する画面は同一時刻の異常内容についてグラフ、帳票の形式で示していた。しかし、同一時刻であるため、その先どういった水位で変化してゆくのか、過去どうだったのか判別することができない。そこで図１の監視制御装置３における、画面データ３ｇにおいて、時間軸を付与する。それにより同一時刻のほかに過去データを含む画面をバルーン内で表示する。現在時刻を起点としたグラフ画面と、過去の時刻を起点としたグラフ画面をバルーン内に表示した使用例を図３に示す。これにより、監視員は過去のデータを参考にこれからどのような傾向が起きるか参考とすることができ、利便性向上となる。
【００２４】
また、図４は確認画面の表示方法の更に異なる例を示すもので、確認画面の表示方法にサブウィンドウ形式を使用した形式を示すものである。サブウィンドウに県単位で表示されたスケルトン図を表示し、メインウィンドウ内に市町村単位で表示されたスケルトン図を表示する。俯瞰した情報と、詳細な情報を合わせて提示することで監視員の利便性を向上させる。
【００２５】
上記の表示例においてはバルーンの数が２つまでの場合を示したが、表示する画面が３つ以上の場合、メインウィンドウ内に画面が入りきらない場合がある。そこでバルーンに表示する画面を選ぶ選択ダイアログを最初に出す。選択ダイアログを使用した形式を図５に示す。監視員が確認ボタンを押すとメインウィンドウ前面に選択ダイアログが表示される。監視員は選択ダイアログからバルーン内に表示したい画面を決め、選択ボタンを押す。その後、メインウィンドウにはメイン画面および選択された画面がバルーン内に表示される。
【００２６】
図５に示す表示例ではバルーンに表示する画面を選ぶ手段として、スライド形式の選択ダイアログを示したが、選択ダイアログに表示する別の形態として、図６に示すリスト形式による選択方法でもよい。選択対象が多い場合やシステムに監視員が慣れてくると、１度に１画面しか表示できないスライド形式は、監視員が煩雑さを感じる可能性が高い。その場合、リスト形式による画面の列挙、選択方法をとることでその懸念を解消できる。
【００２７】
以上のように、実施の形態１による監視制御システムによれば、監視対象の異常内容を複数画面に表示し、その複数画面をメイン表示とサブ表示に区分し、サブ表示に表示形式および時系列の情報を定義する図面定義部３ｆを監視制御装置３に備えると共に、監視制御Ｗｅｂ端末４は、監視制御装置３から送信される複数の画面データ３ｇを受け取り、受け取った複数の画面データ３ｇにメイン表示、サブ表示の情報を付与し、サブ表示には時系列の情報を付与する機能を有する画面制御処理部４ｅを備えている。そして、監視制御装置３と監視制御Ｗｅｂ端末４の組み合わせにより、該当画面に遷移・表示することで監視員に確認作業を誘導するので、異常発生時の監視員の確認作業の利便性を向上できる。
【符号の説明】
【００２８】
１  河川設備、２  観測値、３  監視制御装置、３ａ  計測情報取込処理部、３ｂ  計測データ編集処理部、３ｃ  計測項目定義部、３ｄ  表示値、３ｅ  画面データ編集処理部、３ｆ  画面定義部、３ｇ、４ｆ  画面データ、３ｈ  画面入力受付処理部、４  監視制御Ｗｅｂ端末、４ａ  画面表示処理部、４ｂ  表示部、４ｃ  画面入力処理部、４ｄ  確認項目データ、４ｅ  画面制御処理部。
【図１】
2014146219.tif 000003
【図２】
2014146219.tif 000004
【図３】
2014146219.tif 000005
【図４】
2014146219.tif 000006
【図５】
2014146219.tif 000007
【図６】
2014146219.tif 000008
【図７】
2014146219.tif 000009